(57)【要約】【課題】収納部が取り出される際の防犯性の低下を抑制可能な現金処理装置を提供する。【解決手段】顧客に対向する装置本体の長手方向の一端側に設けられ、現金が投入され又は現金を排出する入出金部と、前記装置本体に対して着脱可能に設けられ、現金を収納する収納部と、を備え、前記収納部は、前記顧客から遠ざかる位置で前記装置本体から取り出される、現金処理装置。前記収納部は、前記装置本体に対して前記長手方向の他端側から引き出し可能に設けられている。【選択図】図１
2014123217.tif 000002
【特許請求の範囲】
【請求項１】
顧客に対向する装置本体の長手方向の一端側に設けられ、現金が投入され又は現金を排出する入出金部と、
前記装置本体に対して着脱可能に設けられ、現金を収納する収納部と、
を備え、
前記収納部は、前記顧客から遠ざかる位置で前記装置本体から取り出される、現金処理装置。
【請求項２】
請求項１に記載の現金処理装置において、
前記収納部は、前記装置本体に対して前記長手方向の他端側から引き出し可能に設けられ、
前記収納部は、前記他端側から引き出された後に取り出される、現金処理装置。
【請求項３】
請求項２に記載の現金処理装置において、
前記入出金部は、前記装置本体に対して前記長手方向の一端側から引き出し可能に設けられている、現金処理装置。
【請求項４】
請求項３に記載の現金処理装置において、
前記収納部は、前記入出金部の下方に位置し、
前記収納部と前記入出金部は、共に引き出される、現金処理装置。
【請求項５】
請求項１〜４のいずれか１項に記載の現金処理装置において、
前記長手方向の他端側に開閉可能な開閉扉を更に備え、
前記開閉扉の開状態において、前記収納部が前記他端側から引き出される、現金処理装置。
【請求項６】
請求項１に記載の現金処理装置において、
前記現金処理装置は、前記顧客から遠ざかる位置へ向けて移動可能な設置台に取り付けられ、
前記収納部は、前記装置本体に対して前記長手方向の一端側から引き出し可能に設けられ、
前記設置台が前記位置へ移動した場合に、前記収納部は、前記一端側から引き出された後に取り出される、現金処理装置。
【請求項７】
請求項６に記載の現金処理装置において、
前記現金処理装置は、前記長手方向の中央部が対面用カウンタに挟まれるように設置され、
前記収納部は、前記対面用カウンタから見て一方側に位置する前記入出金部が、前記設置台の移動に伴い前記対面用カウンタから見て他方側へ移動した後に、前記一端側から引き出される、現金処理装置。
【請求項８】
装置本体の長手方向の一端側に対向する顧客から受け取った現金を、前記装置本体の長手方向の他端側に対向する投入者が投入する現金処理装置であって、
前記投入者により前記現金が投入される入金口を備え、
前記入金口は、前記現金を渡した前記顧客の視界内に入るように、装置本体の上部側の位置に設けられている、現金処理装置。
【請求項９】
請求項８に記載の現金処理装置において、
前記入金口は、前記装置本体の上面側において上方を向いた開口である、現金処理装置。
【請求項１０】
請求項８に記載の現金処理装置において、
前記入金口は、前記装置本体の上部側面において前記一端側を向いた開口である、現金処理装置。
【発明の詳細な説明】
【技術分野】
【０００１】
本発明は、現金を収納する収納部を有する現金処理装置に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員や顧客が投入した現金に対して、入金取引や出金取引を行うことができる。
【０００３】
下記の特許文献１には、入金口に投入された紙幣を一時保留部に一時保留した後にスタッカに収納する入金処理と、収納部に収納された紙幣を分離して出金口に搬送する出金処理とを行う現金処理装置が開示されている。
【先行技術文献】
【特許文献】
【０００４】
【特許文献１】特開２００１−９３０２２号公報
【発明の概要】
【発明が解決しようとする課題】
【０００５】
現金処理装置においては、種々のメンテナンス（例えば、収納部の交換等）や保守等が行われる。かかる場合には、職員は、収納部であるカセットを装置本体から取り出して、新しいカセットと交換する。ところで、現金処理装置の構成によっては、顧客の目の前で収納部が取り出される場合がある。かかる場合には、収納部が顧客に晒されるため、内部機構が覗き見られ、防犯性が損なわれる恐れがある。
【０００６】
そこで、本発明は、上記問題に鑑みてなされたものであり、本発明の目的とするところは、収納部が取り出される際の防犯性の低下を抑制可能な、新規かつ改良された現金処理装置を提供することにある。
【課題を解決するための手段】
【０００７】
上記課題を解決するために、本発明のある観点によれば、顧客に対向する装置本体の長手方向の一端側に設けられ、現金が投入され又は現金を排出する入出金部と、前記装置本体に対して着脱可能に設けられ、現金を収納する収納部と、を備え、前記収納部は、前記顧客から遠ざかる位置で前記装置本体から取り出される、現金処理装置が提供される。
【０００８】
また、上記の現金処理装置において、前記収納部は、前記装置本体に対して前記長手方向の他端側から引き出し可能に設けられ、前記収納部は、前記他端側から引き出された後に取り出されることとしても良い。
【０００９】
また、上記の現金処理装置において、前記入出金部は、前記装置本体に対して前記長手方向の一端側から引き出し可能に設けられていることとしても良い。
【００１０】
また、上記の現金処理装置において、前記収納部は、前記入出金部の下方に位置し、前記収納部と前記入出金部は、共に引き出されることとしても良い。
【００１１】
また、上記の現金処理装置において、前記長手方向の他端側に開閉可能な開閉扉を更に備え、前記開閉扉の開状態において、前記収納部が前記他端側から引き出されることとしても良い。
【００１２】
また、上記の現金処理装置において、前記現金処理装置は、前記顧客から遠ざかる位置へ向けて移動可能な設置台に取り付けられ、前記収納部は、前記装置本体に対して前記長手方向の一端側から引き出し可能に設けられ、前記設置台が前記位置へ移動した場合に、前記収納部は、前記一端側から引き出された後に取り出されることとしても良い。
【００１３】
また、上記の現金処理装置において、前記現金処理装置は、前記長手方向の中央部が対面用カウンタに挟まれるように設置され、前記収納部は、前記対面用カウンタから見て一方側に位置する前記入出金部が、前記設置台の移動に伴い前記対面用カウンタから見て他方側へ移動した後に、前記一端側から引き出されることとしても良い。
【００１４】
上記課題を解決するために、本発明の別の観点によれば、装置本体の長手方向の一端側に対向する顧客から受け取った現金を、前記装置本体の長手方向の他端側に対向する投入者が投入する現金処理装置であって、前記投入者により前記現金が投入される入金口を備え、前記入金口は、前記現金を渡した前記顧客の視界内に入るように、装置本体の上部側の位置に設けられている、現金処理装置が提供される。
【００１５】
また、上記の現金処理装置において、前記入金口は、前記装置本体の上面側において上方を向いた開口であることとしても良い。
【００１６】
また、上記の現金処理装置において、前記入金口は、前記装置本体の上部側面において前記一端側を向いた開口であることとしても良い。
【発明の効果】
【００１７】
以上説明したように本発明によれば、収納部が取り出される際の防犯性の低下を抑制することが可能となる。
【図面の簡単な説明】
【００１８】
【図１】第１の実施形態に係る紙幣処理装置１０の内部構成の一例を示す図である。
【図２】紙幣処理装置１０の金融機関の営業店等における設置態様の一例を示す図である。
【図３】上部ユニット５３の引き出し方向を示す模式図である。
【図４】下部ユニット５６の引き出し方向を示す模式図である。
【図５】上部ユニット５３と下部ユニット５６が共に引き出された一例を説明するための図である。
【図６】比較例に係る紙幣処理装置９００の営業店等における設置態様の一例を示す図である。
【図７】比較例に係る紙幣処理装置９００おいて、下部ユニットの引き出しを説明するための模式図である。
【図８】第２の実施形態に係る紙幣処理装置１００の内部構成の一例を示す図である。
【図９】紙幣処理装置１００の金融機関の営業店等における設置態様の一例を示す図である。
【図１０】紙幣処理装置１００を保持した設置台１８０がＸ１方向に移動した状態を示す模式図である。
【図１１】紙幣カセット３０Ａ〜３０Ｅ、及び収納専用カセット３５を取り出す流れを説明するための模式図である。
【図１２】第３の実施形態に係る紙幣処理装置２００の金融機関の営業店等における設置態様の一例を示す図である。
【図１３】第３の実施形態において、入金口への紙幣の投入の流れと顧客の視線との関係を説明するための図である。
【図１４】比較例を説明するための図である。
【図１５】第３の実施形態に係る紙幣処理装置２００の変形例を説明するための図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．第１の実施形態＞
（１−１．現金処理装置の内部構成例）
図１を参照しながら、第１の実施形態に係る現金処理装置の一例である紙幣処理装置１０の内部構成例について説明する。
【００２１】
図１は、第１の実施形態に係る紙幣処理装置１０の内部構成の一例を示す図である。紙幣処理装置１０は、金融機関の営業店等に設置されている。紙幣処置装置１０は、装置の操作者である金融機関の職員又は顧客（以下、顧客等と呼ぶ）による操作に基づいて、紙幣の取引を行う端末である。
【００２２】
紙幣処理装置１０は、図１に示すように、入金口１２と、第１出金口１４と、第２出金口１５と、紙幣認識部２０と、一時保留部２２と、搬送部２４と、紙幣カセット３０Ａ〜３０Ｅと、収納専用カセット３５とを有する。なお、入金口１２、第１出金口１４、及び第２出金口１５が、入出金部に該当し、紙幣カセット３０Ａ〜３０Ｅ、及び収納専用カセット３５が、収納部に該当する。
【００２３】
入金口１２は、顧客（図２に示す顧客Ｃ）に対向する装置本体５０の長手方向の一端側に設けられ、顧客等が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００２４】
第１出金口１４及び第２出金口１５は、顧客等が受け取る紙幣が排出（出金）される排出口である。第１出金口１４及び第２出金口１５は、排出する紙幣を集積する集積機能を有する。図１に示す例では、出金口が２つ設けられているが、これに限定されず、例えば出金口が３つ以上であってもよい。なお、第１出金口１４と第２出金口１５には、それぞれ開口部を開閉するシャッタ（不図示）が設けられても良い。
【００２５】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２６】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００２７】
一時保留部２２は、紙幣の分離と集積の両方の機能を有する。例えば、一時保留部２２は、入金取引時に入金口１２から分離されて紙幣認識部２０により正常と鑑別された紙幣を一時的に集積する。一時保留部２２に集積された紙幣は、入金した紙幣の口座計上などが確定したなど、取引が成立した場合に繰り出され、紙幣認識部２０を経て紙幣カセット３０Ａ〜３０Ｅなどに搬送される。なお、一時保留部２２は、紙幣を順次重ねて集積する集積式であってもよいし、紙幣を順次巻いて収納するドラム式であってもよい。
【００２８】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。
【００２９】
紙幣カセット３０Ａ〜３０Ｅは、紙幣を金種毎に収納可能な紙幣収納部であって、紙幣の集積および分離の両方の機能を有する。紙幣カセット３０Ａ〜３０Ｅは、同一金種のための複数の紙幣カセットを含んでもよい。また、紙幣カセット３０Ａ〜３０Ｅは、紙幣処理装置１０に対して着脱可能な構造になっており、個別に交換することで紙幣カセット３０Ａ〜３０Ｅに紙幣を装填することも可能である。
【００３０】
収納専用カセット３５は、紙幣を集積する集積機能のみを有する。収納専用カセット３５には、紙幣カセット３０Ａ〜３０Ｅから分離された紙幣を集積し、又は紙幣認識部２０によって異常と鑑別（リジェクト判定）された紙幣（リジェクト紙幣）を集積する。収納専用カセット３５も、紙幣処理装置１０に対して着脱可能な構造になっており、交換することで、紙幣の回収が可能である。
【００３１】
上述した紙幣処理装置１０は、金融機関の営業店等に設置される際に、図２に示す対面用カウンタの一例であるカウンタ９０を挟んで対面する顧客と職員の間に位置する。これにより、顧客と職員が、紙幣処理装置１０の操作を行うことが可能となる。
【００３２】
図２は、紙幣処理装置１０の金融機関の営業店等における設置態様の一例を示す図である。図２では、営業店等のカウンタ９０の下方に紙幣処理装置１０が設置されている。具体的には、紙幣処理装置１０は、長手方向（図２のＸ方向）の中央部がカウンタ９０に挟まれるように設置されている。そして、顧客Ｃが入金口１２に入金紙幣を投入し、又は顧客が第１出金口１４又は第２出金口１５から出金紙幣を抜き取れるように、入金口１２、及び出金口１４、１５は、顧客Ｃ側に配置されている。
【００３３】
次に、上述した紙幣処理装置１０の処理について説明する。紙幣処理装置１０は、例えば入金処理、出金処理等を行う。入金処理は、入金口１２の紙幣を紙幣カセット３０Ａ〜３０Ｅに集積する処理である。出金処理は、紙幣カセット３０Ａ〜３０Ｅの紙幣を第１出金口１４又は第２出金口１５に集積する処理である。
【００３４】
入金処理においては、まず、顧客等により入金口１２に投入された紙幣が、一枚ずつ分離して繰り出される。繰り出された紙幣は、搬送部２４により紙幣認識部２０に搬送される。その後、紙幣認識部２０が紙幣の鑑別を行い、鑑別結果が正常であった紙幣は、一時保留部２２へ搬送されて集積される。一方で、紙幣認識部２０による鑑別結果が異常であった紙幣（リジェクト紙幣）は、第１出金口１４又は第２出金口１５に集積される。一時保留部２２に集積された紙幣は、１枚ずつ分離され、紙幣認識部２０に搬送される。紙幣認識部２０による鑑別結果が正常であった紙幣は、金種に対応する紙幣カセット３０Ａ〜３０Ｅに集積される。一方で、汚損券、折れ紙幣、スキュー紙幣などの走行異常紙幣のように、紙幣認識部２０による鑑別結果が異常であった紙幣は、収納専用カセット３５に集積される。
【００３５】
出金処理においては、まず、顧客等により指定された金額に応じて、紙幣カセット３０Ａ〜３０Ｅから紙幣が１枚ずつ分離して繰り出される。繰り出された紙幣は、搬送部２４により紙幣認識部２０に搬送される。その後、紙幣認識部２０が紙幣の鑑別を行い、鑑別結果が正常であった紙幣は、第１出金口１４又は第２出金口１５に集積される。具体的には、例えば出金する正常紙幣の金種や枚数に応じて、第１出金口１４又は第２出金口１５に選択的に集積（集金）される。一方で、鑑別結果が異常であった紙幣、すなわち、顧客に支払いできない紙幣は、収納専用カセット３５に集積される。
【００３６】
（１−２．上部ユニット及び下部ユニットの引き出し）
紙幣処理装置１０は、職員により種々のメンテナンス（例えば、紙幣のジャムの解消）や保守等が行われる。そして、紙幣処理装置１０は、図１に示すように、装置本体５０に対して引き出し又は挿入可能な上部ユニット５３と下部ユニット５６を有する。下部ユニット５６は、上部ユニット５３の下方に位置する。
【００３７】
上部ユニット５３は、前述した入金口１２、第１出金口１４、第２出金口１５、紙幣認識部２０、一時保留部２２、及び搬送部２４を含む。搬送部２４等において紙幣のジャムが発生した場合や上部ユニット５３の保守をする場合には、職員が上部ユニット５３を引き出して、ジャムとなった紙幣を取り除き、又は上部ユニット５３の保守を行う。上部ユニット５３は、装置本体５０の上部筐体５２のスライドレール（不図示）に沿って、引き出され、又は挿入される。
【００３８】
図３は、上部ユニット５３の引き出し方向を示す模式図である。図３に示すように、上部ユニット５３は、装置本体５０に対して長手方向の一端側からＸ２方向（顧客側）へ引き出され、装置本体５０に対してＸ１方向へ挿入される。
【００３９】
下部ユニット５６は、前述した紙幣カセット３０Ａ〜３０Ｅ、及び収納専用カセット３５を含む。紙幣カセット３０Ａ〜３０Ｅや収納専用カセット３５の紙幣を回収・補充するためにカセットを交換する場合や、紙幣カセット３０Ａ〜３０Ｅや収納専用カセット３５で紙幣のジャムが発生した場合には、職員が下部ユニット５６を引き出して、下部ユニット５６内のカセットを交換し、又はジャムとなった紙幣を取り除く。
【００４０】
下部ユニット５６には、紙幣カセット３０Ａ〜３０Ｅ、及び収納専用カセット３５が着脱可能にセットされている。下部ユニット５６は、下部筐体５５のスライトレール（不図示）に沿って、引き出され、又は挿入される。そして、下部ユニット５６が引き出されると、紙幣カセット３０Ａ〜３０Ｅ、収納専用カセット３５の交換が可能となる。
【００４１】
図４は、第１の実施形態における下部ユニット５６の引き出し方向を示す模式図である。図４（ａ）は、紙幣処理装置１０を上面から見た図であり、図４（ｂ）は、紙幣処理装置１０を正面から見た図である。下部ユニット５６は、装置本体５０に対して長手方向の他端側からＸ１方向（顧客から遠ざかる方向）へ引き出され、装置本体５０に対してＸ２方向へ挿入される。このように、第１の実施形態では、上部ユニット５３の引き出し方向と、下部ユニット５６の引き出し方向とが、互いに逆方向である。
【００４２】
上記では、上部ユニット５３と下部ユニット５６が、別々に引き出さることとしたが、これに限定されない。例えば、図５に示すように、上部ユニット５３と下部ユニット５６は、共に引き出されても良い。上部ユニット５３と下部ユニット５６が共に引き出された場合には、両方のユニットについてメンテナンス等を行えるので、メンテナンス性が向上する。本実施形態では、下部筐体５５の厚みが大きい金属製の筐体であるので、装置本体５０が安定し、上部ユニット５３と下部ユニット５６を共に引き出すことが可能である。図５は、上部ユニット５３と下部ユニット５６が共に引き出された一例を説明するための図である。
【００４３】
紙幣処理装置１０の長手方向の他端側には、開閉可能な開閉扉５９（図１参照）が設けられている。開閉扉５９は、通常施錠されており、下部ユニット５６を引き出す際に施錠が解除される。そして、図４（ａ）に示すように開閉扉５９の開状態において、下部ユニット５６を引き出される。なお、図４（ｂ）では、説明の便宜上、開閉扉５９が省略されている。
【００４４】
ここで、紙幣カセット３０Ａ〜３０Ｅと収納専用カセット３５の引き出す迄の流れについて説明する。まず、職員は、開閉扉５９の施錠を解除して開閉扉５９を開けた後に、下部ユニット５６を手前側（顧客から遠ざかる位置）に引き出す。次に、職員は、紙幣カセット３０Ａ〜３０Ｅや収納専用カセット３５を上方に移動させて、下部ユニット５６から取り出す。このように、第１の実施形態では、紙幣カセット３０Ａ〜３０Ｅ、及び収納専用カセット３５は、顧客から遠ざかる位置で引き出される。その後、職員は、新しいカセットを下部ユニット５６にセットして装置本体５０に挿入することで、紙幣カセット３０Ａ〜３０Ｅや収納専用カセット３５の交換が終了する。
【００４５】
（１−３．第１の実施形態の有効性について）
第１の実施形態に係る紙幣処理装置１０の有効性について、図６及び図７に示す比較例と対比して、説明する。
【００４６】
図６は、比較例に係る紙幣処理装置９００の営業店等における設置態様の一例を示す図である。紙幣処理装置９００の上部の構成は、図１に示す紙幣処理装置１０と同様であるが、紙幣処理装置９００の下部の構成は、紙幣処理装置１０と異なる。比較例においては、開閉扉９５９が顧客Ｃ側に位置しており、下部ユニット９５６が顧客Ｃ側に引き出される。
【００４７】
図７は、比較例に係る紙幣処理装置９００おいて、下部ユニット９５６の引き出しを説明するための模式図である。比較例においては、職員は、例えば紙幣カセット３０Ａ〜３０Ｅや収納専用カセット３５を交換する際に、顧客Ｃ側に移動して顧客の目の前で、開閉扉９５９の施錠を解錠して開閉扉９５９を開けた後に、下部ユニット９５６を引き出す。なお、図７では、説明の便宜上、開閉扉９５９が省略されている。
【００４８】
比較例の場合には、職員が、顧客Ｃの前で、カセットの交換やジャム紙幣を取り除く作業を行うことになる。このため、紙幣カセット３０Ａ〜３０Ｅや収納専用カセット３５が顧客に晒されて、強奪される危険性や紙幣処理装置９００の内部機構、筐体構造、扉の視点や施錠位置が覗き見られる恐れがある。また、職員の死角から顧客がジャム紙幣に触ることで、盗難の危険性がある。
【００４９】
これに対して、第１の実施形態では、下部ユニット５６を顧客Ｃ側とは反対側に引き出して、顧客Ｃから遠ざかる位置で紙幣カセット３０Ａ〜３０Ｅや収納専用カセット３５が取り出される。かかる場合には、下部ユニット５６を顧客から引き離すことができるため、顧客がジャム紙幣に触ることを防止できる。また、下部ユニット５６を引き出す際に、カウンタ９０が下部ユニット５６を見る顧客の視界を遮るので、顧客は紙幣カセット３０Ａ〜３０Ｅや収納専用カセット３５の内部構造を視認することが困難となり、防犯性を向上できる。
【００５０】
上記では、現金処理装置として紙幣処理装置１０を例に挙げて説明したが、これに限定されない。例えば、現金処理装置は、硬貨の入出金と収納が可能な硬貨処理装置であっても良い。かかる場合にも、硬貨を収納する収納部を含む下部ユニットを顧客側から離れる方向に引き出すことにより、顧客が硬貨処理装置の内部構造を視認することが困難となり、防犯性を向上できる。
【００５１】
＜２．第２の実施形態＞
図８は、第２の実施形態に係る紙幣処理装置１００の内部構成の一例を示す図である。第１の実施形態では、図１に示すように開閉扉５９が職員側に設けられていたが、第２の実施形態では、図８に示すように開閉扉５９が顧客側に設けられている。また、第１の実施形態では、下部ユニット５６が装置本体の長手方向の他端側からＸ１方向に引き出されることとしたが、第２の実施形態では、下部ユニット５６が装置本体の長手方向の一端側からＸ２方向に引き出される。
【００５２】
図９は、紙幣処理装置１００の金融機関の営業店等における設置態様の一例を示す図である。紙幣処理装置１００は、図９（ｂ）に示すように、カウンタ１９０の下方の設置台１８０に取り付けられている（具体的には、固定されている）。設置台１８０は、カウンタ１９０の下方のカウンタ土台１９２に対して、紙幣処理装置１００を保持したままＸ１、Ｘ２方向に移動できるスライド機構１８２を有する。例えば、設置台１８０は、Ｘ１方向に移動することにより、顧客から遠ざかる位置に移動することになる。
【００５３】
第２の実施形態に係るカウンタ１９０は、図９（ｂ）に示すように、紙幣処理装置１００がＸ１方向に移動する際に干渉しないための開口部１９３を有する。
【００５４】
次に、図１０及び図１１を参照しながら、第２の実施形態における紙幣カセット３０Ａ〜３０Ｅ、及び収納専用カセット３５の取り出しについて説明する。図１０は、紙幣処理装置１００を保持した設置台１８０がＸ１方向に移動した状態を示す模式図である。図１１は、紙幣カセット３０Ａ〜３０Ｅ、及び収納専用カセット３５を取り出す流れを説明するための模式図である。
【００５５】
まず、職員は、図１０に示すように、紙幣処理装置１００が固定された設置台１８０をＸ１方向（顧客から離れる位置）に移動させる。これにより、入金口１２、第１出金口１４、第２出金口１５が、カウンタ１９０の反対側に位置する。設置台１８０のＸ１方向への移動量は、Ｘ２方向に引き出される本体部がカウンタ１９０の開口部１９３を通過しない量（図１１参照）である。
【００５６】
次に、職員は、顧客から遠ざかった位置に位置する紙幣処理装置１００とカウンタ１９０との間に位置し、開閉扉５９の施錠を解除し開閉扉５９を開けた後に、図１１に示すように下部ユニット５６を装置本体５０の一端側からＸ２方向に引き出す。次に、職員は、紙幣カセット３０Ａ〜３０Ｅや収納専用カセット３５を上方に移動させて取り出す。
【００５７】
第２の実施形態においても、設置台１８０をＸ１方向に移動させて顧客から遠ざかった位置で紙幣カセット３０Ａ〜３０Ｅや収納専用カセット３５を取り出す。かかる場合にも、紙幣処理装置１００の下部ユニット５６を顧客から引き離すことができるため、顧客がジャム紙幣に触ることが防止できる。また、本体部を引き出す際に、カウンタ１９０が下部ユニット５６を見る顧客の視界を遮るので、顧客は紙幣カセット３０Ａ〜３０Ｅや収納専用カセット３５の内部構造を視認することが困難となり、防犯性を向上できる。
【００５８】
＜３．第３の実施形態＞：図１２〜図１５
第１の実施形態及び第２の実施形態では、顧客が、入金口１２に入金紙幣を投入し、第１出金口１４又は第２出金口１５から出金紙幣を抜き取っている。これに対して、第３の実施形態では、投入者である職員が、入金口に入金紙幣の投入し、出金口から出金紙幣を抜き取るように、紙幣処理装置が金融機関の営業店に設置されている。
【００５９】
図１２は、第３の実施形態に係る紙幣処理装置２００の金融機関の営業店等における設置態様の一例を示す図である。紙幣処理装置２００は、対面する顧客Ｃと職員Ｕの間のカウンタ２９０の下方に設けられている。そして、第３の実施形態では、顧客が、紙幣処理装置２００の入金口２１２、第１出金口２１４、第２出金口２１５が設けられた長手方向の一端側に対向し、職員Ｕが、紙幣処理装置２００の長手方向の他端側に対向する。
【００６０】
かかる場合に、営業店に来店した顧客は、カウンタ２９０の向こう側に座っている職員Ｕに紙幣を渡す。職員Ｕは、受け取った紙幣を紙幣処理装置２００の入金口２１２に投入する。投入された紙幣は、紙幣処理装置２００の内部へ取り込まれて、枚数がカウントされ、紙幣の種別が判別され、カセット等に収納される。
【００６１】
ところで、第３の実施形態に係る紙幣処理装置２００では、職員が紙幣を入金口へ投入する行為を顧客Ｃが確認しやすいように、入金口２１２の位置が設定されている。具体的には、図１１に示すように、入金口２１２が、紙幣を渡した顧客の視界内に入るように、紙幣処理装置２００の上部側の位置に設けられている。
【００６２】
図１３は、第３の実施形態において、入金口２１２への紙幣の投入の流れと顧客の視線との関係を説明するための図である。図１３に示すように、入金口２１２は、紙幣処理装置２００の後ろ側に立っている顧客Ｃから見て紙幣処理装置２００の影に隠れない角度において、上方を向くように紙幣処理装置２００の上面側に配置された開口である。なお、第１出金口２１４と第２出金口２１５は、入金口２１２よりも職員側に配置されている（図１２参照）。
【００６３】
図１４は、比較例を説明するための図である。比較例に係る紙幣処理装置９５０では、入金口９５２が職員に対向する前面側に配置されている。かかる構成においては、職員が顧客から受け取った紙幣を入金口９５２に投入する際に、紙幣が紙幣処理装置９５０の影に隠れてしまい、顧客の視線の死角に位置する。かかる場合には、顧客は、職員が入金口９５２に投入されるべき紙幣を抜き取っても、確認できない。このため、例えば、顧客が職員に渡した紙幣の総額と、入金口９５２に投入された紙幣の総額とに不一致が発生した場合に、顧客との間でトラブルが発生する恐れがある。
【００６４】
これに対して、図１３に示す位置に入金口２１２を設けた場合には、顧客から受け取った紙幣を入金口２１２に投入する際に職員の腕が、紙幣処理装置２００の上側だけを通過する。これにより、紙幣が紙幣処理装置２００の影に隠れることを防止できるので、顧客は、職員が紙幣を入金口２１２へ投入するまでの動きを確認し続けることができる。この結果、顧客との間でのトラブルの発生を防止できる。
【００６５】
図１５は、第３の実施形態に係る紙幣処理装置２００の変形例を説明するための図である。変形例においては、入金口２１３が、後ろ側（顧客側）を向くように、紙幣処理装置２００の上部側面に配置されている。この入金口２１３の位置は、紙幣処理装置２００の後ろ側に立っている顧客の視界内の位置である。
【００６６】
変形例の場合にも、顧客から受け取った紙幣を入金口２１３に投入する際に職員の腕が、紙幣処理装置２００の上側だけを通過する。これにより、紙幣が紙幣処理装置２００の影に隠れることを防止できるので、顧客Ｃは、職員が紙幣を入金口２１３へ投入するまでの動きを確認し続けることができる。この結果、顧客との間でのトラブルの発生を防止できる。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６８】
１０    紙幣処理装置
１２    入金口
１４    第１出金口
１５    第２出金口
３０Ａ〜３０Ｅ    紙幣カセット
３５    収納専用カセット
５０    装置本体
５３    上部ユニット
５５    下部筐体
５６    下部ユニット
５９    開閉扉
１８０    設置台
２１２、２１３    入金口
Ｃ      顧客
【図１】
2014123217.tif 000003
【図２】
2014123217.tif 000004
【図３】
2014123217.tif 000005
【図４】
2014123217.tif 000006
【図５】
2014123217.tif 000007
【図６】
2014123217.tif 000008
【図７】
2014123217.tif 000009
【図８】
2014123217.tif 000010
【図９】
2014123217.tif 000011
【図１０】
2014123217.tif 000012
【図１１】
2014123217.tif 000013
【図１２】
2014123217.tif 000014
【図１３】
2014123217.tif 000015
【図１４】
2014123217.tif 000016
【図１５】
2014123217.tif 000017